(57)【要約】【課題】ＦＭ放送波の受信利得および指向性能を高め、ＴＶ放送波も受信可能とする車両用ガラスアンテナの提供。【解決手段】デフォッガとその上部余白部にアンテナを配設した車両用の後部窓ガラスにおいて、該余白部の範囲内で金属窓枠の内側上辺又は縦辺近傍に設けた給電点から少なくとも窓枠上辺に近接かつ容量結合する第１の水平線条を窓枠の縦中心線を越える位置迄延ばし、給電点から第１の水平線条の先端までの長さを受信波長をλとした時にαλ／２（波長短縮率α）とし、第１の水平線条の先端より第１の垂直線条を加熱導電線条に向けて延ばし、第１の垂直線条の下端およびその略中間部より給電点側に向けて第１、及び第２の折返し線条を水平方向に配設し、第１の垂直線条と第１の折返し線条の長さの合計をβλ／４（波長をλ、波長短縮率β）とし、第１の折返し線条とデフォッガ間の間隔を上部余白部高さの１／３以上離間させた。【選択図】  図１
2005130415.tif 000002
【特許請求の範囲】
【請求項１】
略水平方向に延ばした複数本の水平加熱導電線条の両端にバスバーを接続したデフォッガと該デフォッガの上部余白部にアンテナ線条を配設した車両用の後部窓ガラスにおいて、前記上部余白部の範囲内で、金属フランジ窓枠の内側上辺または縦辺に近接する位置に給電点を設け、該給電点から少なくともフランジ窓枠上辺に近接かつ容量結合する第１の水平線条をガラス板の縦中心線を越える位置まで延ばし、前記給電点から第１の水平線条の先端までの長さを受信周波数の波長をλとした時にαλ／２（波長短縮率α＝約０．５）とし、該第１の水平線条の先端より第１の垂直線条を加熱導電線条に向けて延ばし、該第１の垂直線条の下端およびその略中間部よりそれぞれ給電点側に向けて第１の折返し線条、および第２の折返し線条を水平方向に配設し、前記第１の垂直線条と第１の折返し線条の長さの合計をβλ／４（受信周波数の波長をλ、波長短縮率β＝約０．７）とし、第１の折返し線条と前記加熱導電線条間の間隔を上部余白部の高さの１／３以上離間させたことを特徴とする車両用ガラスアンテナ。
【請求項２】
前記第１の折返し線条の第１の垂直線条の下端側端部より給電点とは反対方向に水平補助線条を延ばしたことを特徴とする請求項１記載の車両用ガラスアンテナ。
【請求項３】
前記第１の水平線条として、その両端部を閉じた二重線としたことを特徴とする請求項１または２記載の車両用ガラスアンテナ。
【請求項４】
窓枠内側上辺と前記第１の水平線条の間隔を１〜１０ｍｍとして容量結合させたことを特徴とする請求項１乃至３のいずれかに記載の車両用ガラスアンテナ。
【請求項５】
前記第１の折返し線条と最上端に位置する加熱線条の間隔を６０〜１５０ｍｍの範囲内としたことを特徴とする請求項１乃至４のいずれかに記載の車両用ガラスアンテナ。
【請求項６】
前記第１の水平線条と第１の折返し線条間の間隔、すなわち第１の垂直線条の高さを４０〜１００ｍｍとしたことを特徴とする請求項１乃至５のいずれかに記載の車両用ガラスアンテナ。
【請求項７】
前記デフォッガの極性が＋側のバスバーとボディアース間に、少なくともコンデンサを有する回路を接続したことを特徴とする請求項１乃至６のいずれかに記載の車両用ガラスアンテナ。
【発明の詳細な説明】
【技術分野】
【０００１】
本発明は、自動車等の後部窓ガラスに配設するデフォッガの加熱導電線条の上部余白部に設けたＡＭ／ＦＭラジオ放送帯及びＴＶ放送帯用のアンテナに関するものである。
【背景技術】
【０００２】
従来より、車両等の窓ガラスにガラスアンテナを設ける場合には、運転者側の前部窓ガラスに設けると運転者等の視界の邪魔になるので、後部窓ガラスに設けたアンテナが一般的に採用されている。
【０００３】
特に、ＡＭラジオ放送波／ＦＭラジオ放送波用及びＴＶ放送波用のガラスアンテナについては、過去に数多くの出願がされており、後部窓ガラスの加熱用導電線条の上部余白部は、ガラスアンテナを設けるためのスペースが比較的大きく、アンテナの配設位置を高くする程受信利得を高めることができるので、この上部余白部にガラスアンテナを設けるケースが最も多く、また、実用化も多くされているのが現状である。
【０００４】
一方、複数本の略水平方向に設けた加熱用導電線条の両端に接続したバスバー間に直流電源によって通電させ、略水平導電線条に通電加熱して窓ガラスの曇りを除去させるデフォッガを、デフォッガ機能だけでなくアンテナとしても利用するケースも多く行われている。
【０００５】
この場合、デフォッガの加熱用導電線条やバスバーより直接引き出し線を介してアンテナ端子へ接続したり、あるいは、デフォッガの上部余白部に設けたアンテナエレメントが有する水平線条の一部を、デフォッガの加熱用導電線条に近接させて容量結合させ、アンテナとして利用することが多い。
【０００６】
このように、デフォッガをＦＭラジオ放送波用及びＴＶ放送波用のガラスアンテナアンテナとして利用する場合には、デフォッガのパターン形状や直流電源からデフォッガへの給電線が車種ごとにさまざまに異なり、この給電線の長さによって受信特性等が異なるため、車種ごとにアンテナの調整を行う必要がある。
【０００７】
また、ＡＭラジオ放送波用のガラスアンテナアンテナとして利用する場合においても、デフォッガの加熱用導電線条が受信した高周波電流をボディに漏洩しないようにデフォッガの直流回路と切り離すためのチョークコイルを設けなければならないが、このチョークコイルは重量が重い上に製造コストがかかるという問題点があった。
【０００８】
しかしながら、デフォッガがアンテナ系統にノイズ等の影響を及ぼすことから、アンテナパターンをある程度デフォッガから離れた位置に設け、ノイズを低減させるようにしたケースもある。
【０００９】
例えば、特開平９−１７２３１５号公報には、車両の車両窓に設けられたアンテナ・グリッドを備え、前記アンテナ・グリッドは、前記窓の全幅にわたり実質的に延在する複数のアンテナ要素を含み、前記アンテナ・グリッドは更に、対向端部で前記アンテナ要素を接続する第１及び第２の端部バスバーと、中央の場所で前記アンテナ要素を接続する垂直中央要素と、同調グリッドとを含み、前記同調グリッドは、前記アンテナ要素に接続された２つの垂直同調要素と、前記垂直同調要素に接続された同調スタブとを含み、前記アンテナ要素は、前記車両窓に設けられたヒーターグリッドのヒーター要素より離れた要素であり、前記アンテナ・グリッドは更に、前記第１のバスバーに接続され且つ前記アンテナ・グリッドと前記ヒーター・グリッドの間に延在するＬ字形状の要素と、前記垂直中央要素の一つに接続され且つ前記アンテナ・グリッドと前記ヒーター・グリッドの間に延在するＴ字形状の要素とを含み、前記アンテナグリッドに電気的に接続され、前記アンテナ要素により受信された信号に応答するマッチング回路を備える車両の車両ラジオ用アンテナ・システムが開示されている（特許文献１）。
【００１０】
また、特開２００１−１６８６２３号公報には、ヒータ線とバスバーとを有する通電加熱式のデフォッガと、アンテナ導体とが自動車の後部窓ガラス板に設けられている自動車用ガラスアンテナにおいて、アンテナ導体は後部窓ガラス板のデフォッガの上方余白部にデフォッガと所定間隔を隔てて設けられており、車内側又は車外側から見て、給電点は後部窓ガラス板の右上側部近傍に設けられており、アンテナ導体は、ループエレメントと、上側エレメントと、下側エレメントとを備え、ループエレメントは略長方形であって、後部窓ガラス板の右側部近傍から左側部近傍まで略横方向に伸長され、ループエレメントの右端部は給電点に接続されており、上側エレメントは、ループエレメントの左上端部近傍を起点として一旦上方に伸長された後、曲折して右方に伸長されており、下側エレメントは、ループエレメントの左下端部近傍を起点として一旦下方に伸長された後、曲折して右方に伸長されていることを特徴とする自動車用ガラスアンテナが開示されている（特許文献２）。
【特許文献１】特開平９−１７２３１５号公報
【特許文献２】特開２００１−１６８６２３号公報
【発明の開示】
【発明が解決しようとする課題】
【００１１】
しかしながら、特許文献１に示されたガラスアンテナは、その本文中の記載によれば、適正な受信を提供するためには、アンテナ要素４４はそれらがラジオに適切な周波数を受信するのに適用可能なように半波長受信と整合するために適切な寸法にされているとされ、また水平デフォッガ要素３４とアンテナ要素４４の間に生じるキャパシタンスがアンテナ要素４４と車体板金３２の間のキャパシタンスとほぼ同じになるように、アンテナ要素４４は後部窓１２のガラス上で適切に離間されるべきであるとされ、アンテナを半波長に調整しさらに、アンテナを車体板金と水平デフォッガ要素のいずれからもある程度離して配設することにより、所望の性能を得ようとするものである。
【００１２】
このようにアンテナを半波長受信に整合しさらにアンテナ要素４４を車体板金３２から離間して設けると、アンテナインピーダンスが高くなり受信効率が低下するばかりでなく、車体で受信した電波を効率よくアンテナでピックアップしさらにアンテナ利得を高めることが困難になる。
【００１３】
さらに、水平デフォッガ要素３４とアンテナ要素４４の間に生じるキャパシタンスがアンテナ要素４４と車体板金３２の間のキャパシタンスとほぼ同じになるように、アンテナ要素４４は後部窓１２のガラス上で適切に離間されるべきであるとされ、アンテナを半波長に調整しさらに、アンテナを車体板金と水平デフォッガ要素のいずれからもある程度離して配設することは、ノイズ源である熱線から離間しているためノイズの影響はある程度小さくなるものの、アンテナ受信面積を減少させることになり、アンテナ受信利得の低下は避けられなかった。
【００１４】
また、特許文献２に示されたガラスアンテナは、詳細な説明によれば、最高位のヒーター線と下側エレメントの間隔が３０〜５０ｍｍが好ましく、この間隔が５０ｍｍ超であるとＡＭラジオ放送帯の感度が低下して好ましくないと記載されており、さらに、実施例２としてこの間隔を６０ｍｍとした時に、ＦＭラジオ放送帯の広域周波数の感度が低下することが記載されている通り、デフォッガの最高位のヒーター線と下側エレメントの間隔はある限定された範囲に限定されたものである。
【００１５】
特許文献２は、ヒーター線とアンテナの間隔を３０〜５０ｍｍと小さくするため、ヒーター線からのノイズの影響を十分避けられないばかりか、アンテナエレメントとデフォッガの最高位のヒーター線との間隔を６０ｍｍ以上とした時に、ＦＭラジオ放送帯の広域周波数の感度が低下するとのことから、ヒーター線と５０ｍｍ以内で容量結合するヒーター線を利用したアンテナであり、車種ごとにさまざまに変化するヒーター線形状の影響を大きく受けるため、車種ごとにアンテナ形状の調整を行う必要があった。さらにヒーター線の影響を受けるためＦＭラジオ放送帯のアンテナとしての利得も十分でなかった。
【課題を解決するための手段】
【００１６】
本発明は、このような問題点に鑑みてなされたものであり、自動車の後部窓ガラスの上部余白部に設けたアンテナで、周波数帯域が７６〜９０ＭＨｚのＦＭラジオ放送波や８８〜１０８ＭＨｚのＦＭラジオ放送波に対して、主として高利得なアンテナ受信性能を得ることができ、さらにＡＭラジオ放送波やＴＶ放送波についても良好に受信できるガラスアンテナの提供を目的とするものである。
【００１７】
すなわち、本発明は、略水平方向に延ばした複数本の水平加熱導電線条の両端にバスバーを接続したデフォッガと該デフォッガの上部余白部にアンテナ線条を配設した車両用の後部窓ガラスにおいて、
前記上部余白部の範囲内で、金属フランジ窓枠の内側上辺または縦辺に近接する位置に給電点を設け、該給電点から少なくともフランジ窓枠上辺に近接かつ容量結合する第１の水平線条をガラス板の縦中心線を越える位置まで延ばし、前記給電点から第１の水平線条の先端までの長さを受信周波数の波長をλとした時にαλ／２（波長短縮率α＝約０．５）とし、該第１の水平線条の先端より垂直線条を加熱導電線条に向けて延ばし、該垂直線条の下端およびその略中間部よりそれぞれ給電点側に向けて第１の折返し線条、および第２の折返し線条を水平方向に配設し、前記垂直線条と第１の折返し線条の長さの合計をβλ／４（受信周波数の波長をλ、波長短縮率β＝約０．７）とし、第１の折返し線条と前記加熱導電線条間の間隔を上部余白部の高さの１／３以上離間させたことを特徴とする車両用ガラスアンテナである。
【００１８】
あるいは、本発明は、前記第１の折返し線条の第１の垂直線条の下端側端部より給電点とは反対方向に水平補助線条を延ばしたことを特徴とする上述の車両用ガラスアンテナである。
【００１９】
あるいはまた、本発明は、前記第１の水平線条として、その両端部を閉じた二重線としたことを特徴とする上述の車両用ガラスアンテナである。
【００２０】
あるいはまた、本発明は、窓枠内側上辺と前記第１の水平線条の間隔を１〜１０ｍｍとして容量結合させたことを特徴とする上述の車両用ガラスアンテナである。
【００２１】
あるいはまた、本発明は、前記第１の折返し線条と最上端に位置する加熱線条の間隔を６０〜１５０ｍｍの範囲内としたことを特徴とする上述のいずれかに記載の車両用ガラスアンテナである。
【００２２】
あるいはまた、本発明は、前記第１の水平線条と第１の折返し線条間の間隔、すなわち第１の垂直線条の高さを４０〜１００ｍｍとしたことを特徴とする上述のいずれかに記載の車両用ガラスアンテナである。
【００２３】
あるいはまた、本発明は、前記デフォッガの極性が＋側のバスバー４’とボディアース間に、少なくともコンデンサを有する回路を接続したことを特徴とする上述のいずれかに記載の車両用ガラスアンテナである。
【発明の効果】
【００２４】
本発明によれば、自動車の後部窓ガラスのデフォッガの加熱用導電線条の上部余白部に設けたアンテナを、金属フランジの上辺と容量結合するように近接させ、自動車の金属ボディが受信した電波を該アンテナでピックアップすることによってＦＭラジオ放送波帯の受信利得を高めることができ、さらにデフォッガの加熱線条の最上線から離すように遠ざけることによって、デフォッガの影響を受けないようにし、ＦＭラジオ放送波帯の受信利得を高めることができ、さらに、ＡＭラジオ放送波帯についてもデフォッガの加熱用導電線条からのノイズ混入を低減することができた。
【００２５】
特にＦＭラジオ放送波の受信利得を７６ＭＨｚ〜９０ＭＨｚのＦＭ帯域だけでなく、８８ＭＨｚ〜１０８ＭＨｚのＦＭラジオ放送波帯域やＴＶ放送波帯域まで広帯域に亘ってホイップアンテナの受信レベル程度にまで高めることができた。
【発明を実施するための最良の形態】
【００２６】
本発明は、図１に示したように、自動車等の車両の後部窓ガラス１に設けた略水平方向に延ばした複数本の水平加熱導電線条の両端にバスバーを接続したデフォッガ２の上部余白部に配設したＡＭ／ＦＭラジオ帯を主として良好に受信するアンテナであり、さらにはＴＶ放送波ＶＨＦ帯の受信も可能なアンテナである。特に７６〜１０８ＭＨｚのＦＭラジオ放送波に対しては、高性能な受信感度が得られ、デフォッガや車両形状の影響を受けにくいアンテナである。
【００２７】
前記上部余白部の領域内で、略矩形状の金属フランジ窓枠の内側上辺のコーナー寄りの位置、または縦辺に近接する位置に給電点５を設け、該給電点５から少なくともフランジ窓枠上辺に沿って近接かつ容量結合するように第１の水平線条９をガラス板の中心線を越える位置まで延ばした。
【００２８】
図３に示すように、給電点５の位置が金属フランジの内側の縦辺に近接する位置にある場合は、該給電点５より縦辺に沿って上部コーナー近傍まで垂直線条を延ばし、その先端よりフランジ窓枠上辺に沿って近接かつ容量結合するように水平方向に第１の水平線条９を延ばし、該第１の水平線条９の先端より垂直線条１０を加熱導電線条に向けて延ばし、該垂直線条１０の下端部および略中間部よりそれぞれ給電点側に向けて第１の折返し線条１１、および第２の折返し線条１１’を水平方向に延設した。
【００２９】
また、図３、図４の符号１２として示すように、前記第１の折返し線条１１の第１の垂直線条１０の下端側端部より給電点５とは反対方向に水平補助線条１２を延ばすようにすることもできる。
【００３０】
さらに、前記給電点５から第１の水平線条９の先端までの長さは、受信周波数帯域の中間波長をλとした時にαλ／２（波長短縮率α＝約０．５）の長さとし、前記垂直線条と第１の折返し線条の長さの合計をβλ／４（受信周波数の波長をλ、波長短縮率β＝約０．７）とし、前記アンテナの最下線である第１の折返し線条をデフォッガの影響を受けない程度に離間させ、第１の折返し線条と前記加熱導電線条間の距離を上部余白部の高さの１／３以上の長さとした。
【００３１】
図２、図４に示すように、前記第１の水平線条９は、その両端部を閉じた二重線とし、近接して設けた２本の水平線条の一端側をいずれも給電点５に接続し、他端側についても２本の水平線条を垂直線条１０に接続するようにしても良い。前記二重線の２本の線条の間隔については、３〜１０ｍｍ程度とすると良好な周波数特性が得られ好ましい。
【００３２】
また、本発明のアンテナの前記第１の水平線条９は、金属フランジ６の窓枠内側上辺との間隔を１〜１０ｍｍとして金属ボディと容量結合させた。
【００３３】
さらにまた、前記アンテナの最下線である第１の折返し線条１１と、デフォッガ２の最上端に位置する加熱線条３との間隔を６０〜１５０ｍｍの範囲内とするのが良い。
【００３４】
あるいはまた、本発明は、前記第１の水平線条９と第１の折返し線条１１間の間隔、すなわち第１の垂直線条１０の長さを４０〜１００ｍｍとした。
【００３５】
また、図１に示したように、前記デフォッガ２の極性が＋側のバスバー４’とボディアース間には、少なくともコンデンサ１４を有する回路を接続した。
【００３６】
本発明のアンテナの作用について説明する。
【００３７】
該給電点５から延ばした第１の水平線条９を少なくともフランジ窓枠上辺に沿って１〜１０ｍｍの間隔で近接かつ容量結合するようにガラス板の中心線を越える位置まで延ばしたのは、金属ボディに載った電波を容量結合によってピックアップし、受信利得を高めることができるためである。
【００３８】
図１０に示される通り、アンテナ最上線と金属フランジとの間隔が狭いほど、ＦＭ帯アンテナ利得が高く、特に、該間隔が１０ｍｍ以下の場合が良好であることがわかる。
【００３９】
本発明のアンテナの最下線の線条である第１の折返し線条と、デフォッガ２の最上線とを、上部余白部の高さの約１／３以上、具体的には６０〜１５０ｍｍの範囲内で離すようにしたのは、本発明のアンテナがデフォッガの影響を受けないようにしたためである。
【００４０】
これについては、図９に示される通り、アンテナ最下線と熱線最上線との間隔が広いほど、ＡＭ帯アンテナのデフォッガからのノイズの影響が小さくなりＳ／Ｎ比が向上し、該間隔が６０ｍｍ以上の場合に特に良好であることがわかる。
【００４１】
また、前記給電点５から金属フランジの内側上辺に沿って延ばした第１の水平線条９の先端までの長さを、受信周波数帯域の中間波長をλ、波長短縮率αを約０．５とした時にαλ／２とすると良いとした理由は、第１の水平線条９は垂直線条１０と第１の折返し線条１１で受信したＦＭ帯放送波を伝送ロスなく給電点５に伝送するためであり、またアンテナ受信エレメントである垂直線条１０と第１の折返し線条１１を最も受信効率の高くなるガラス左右中央部に配置するためであり、さらに車両の金属ボディが受信したＦＭラジオ放送波を効率よくピックアップし更に受信利得を高めるためである。
【００４２】
また、同じく前記垂直線条１０と第１の折返し線条１１の合計長さを、受信周波数帯域の中間波長をλ、波長短縮率βを約０．７とした時に、βλ／４の長さとすると良いとした理由は、前記垂直線条１０と第１の折返し線条１１はガラス左右中央部に配置されており、ＦＭ帯放送波を最も効率よく受信するためには短かく、かつ受信効率の高いアンテナエレメントである必要があり、車両のガラスサイズを考慮するとλ／４が最も適しているためである。
【００４３】
ここで本発明の波長短縮率αおよびβがそれぞれ約０．５および約０．７と異なっている理由について補足説明する。車両用の後部窓ガラスの室内面側に設けるガラスアンテナは、ガラスの影響により波長短縮率は約０．７となるのが通常であるが、本発明の第１の水平線条９については車両の金属ボディが近接しているために更なる波長短縮効果を受け、確認実験をした結果、波長短縮率αは約０．５であることが確認されたためである。
【００４４】
前記第１の水平線条９を二重線とした場合には、２本の水平線条の右端同士、および左端同士を連結すれば、閉ループ形状となり、これによって共振の鋭さであるＱ値を小さくすることができ、広帯域な周波数特性を有するアンテナとすることができる。
【００４５】
前記給電点５を金属フランジ６の縦辺の内側に設けた場合は、給電点から延ばした線条は上部コーナー部近傍を通り、金属フランジの内側上辺に沿って延ばした略Ｌ字状の線条となり、この略Ｌ字状の線条も第１の水平線条とみなすことができる。
【００４６】
前記水平補助線条１２については、アンテナに接続された図示しないアンプやラジオとのインピーダンスマッチングをとるのに有効なだけでなく、ＡＭラジオ放送波の受信利得向上に特に有効である。
【００４７】
また、図１に示したように、前記デフォッガ２の極性が＋側のバスバー４’とボディアース間に、少なくともコンデンサ１４を有する回路を設け、該コンデンサ１４は直流電源１３に並列に接続する回路とすることにより、給電線からデフォッガ２に入ってくるノイズを低減でき、ＡＭラジオ放送波受信時のアンテナへのノイズ混入をさらに低下することができるので望ましい。
【００４８】
本発明のアンテナは、単独でも充分使用可能であるが、本発明のアンテナと、後部窓ガラスに設けた他のアンテナ、さらには前部窓ガラスに設けたアンテナ、側部窓ガラスに設けたアンテナ、ホイップアンテナなどのポールアンテナなどと組み合わせてダイバーシティ受信しても勿論よい。
【００４９】
[実施例１]
図１に示すように、車両用の後部窓ガラスに装着される板ガラス１の車内側表面中央部に、略水平な複数本の加熱用導電線条３、３、・・と、それらの両端に接続したバスバー４、４'とからなるデフォッガ２を設け、該デフォッガ２の上部余白部に本発明のアンテナ８を設けた。
【００５０】
本発明のアンテナ８は、給電点５を窓枠の金属フランジ６の上辺コーナー近傍位置に設け、該給電点５より窓枠の上辺開口辺に近接し、該開口辺に沿ってガラス板の中心線を越える位置まで第１の水平線条９を延ばし、該第１の水平線条９の先端より垂直線条１０を加熱導電線条に向けて延ばし、該垂直線条１０の下端部および略中間部よりそれぞれ給電点５側に向けて第１の折返し線条１１、および第２の折返し線条１１’を水平方向に延設した。
【００５１】
後部窓ガラス１は略台形状であり、その寸法は、上辺長さＡ＝１，２３０ｍｍ、下辺長さＢ＝１，５００ｍｍ、側辺垂直長さＣ＝７８０ｍｍである。
【００５２】
各線条の長さは以下の通りである。
【００５３】
第１の水平線条９の長さ＝８００ｍｍ
第１の垂直線条１０の長さ＝６５ｍｍ
第１の折返し線条１１の長さ＝４２０ｍｍ
第２の折返し線条１１’の長さ＝５００ｍｍ
第１の水平線条９と金属フランジ６の開口部上辺との間隔＝５ｍｍ
第１の水平線条９と第２の折返し線条１１’との間隔＝３５ｍｍ
第２の折返し線条１１’と第１の折返し線条１１との間隔＝３０ｍｍ
第１の折返し線条１１とデフォッガの最上線との間隔＝８０ｍｍ
前記寸法からなるガラスアンテナを導電ペーストによりプリントし、焼成して形成した。
【００５４】
このようにして得られた後部窓ガラスを自動車の後部窓に装着して、さらに−側のバスバー４はボディにアースし、＋側のバスバー４’については直流電源回路１３を接続するとともに、該直流電源回路１３に並列にコンデンサ１４を介してアースする構成とした。尚、コンデンサの容量は４．７μＦとした。
【００５５】
直流電源回路を接続した状態で、本発明のアンテナによって、８８〜１０８ＭＨｚの海外のＦＭラジオ放送波帯の垂直偏波を受信して、ダイポールアンテナの受信利得を０ｄＢとしたときの利得差で表すと、平均で−８．７ｄＢとなり、ホイップアンテナの利得は約−８．０ｄＢ程度であるので、チューニングした７６ＭＨｚ〜１０８ＭＨｚの帯域においてホイップアンテナの受信利得並の、非常に良好なアンテナであることがわかる。さらに、図示しないアンプを介することにより更なるＦＭ帯受信利得の向上を図ることができる。
【００５６】
また、本実施例によって、そのときの周波数毎の受信利得を表す周波数特性は、図５に示すようになり、８８ＭＨｚ〜１０８ＭＨｚの広帯域において高い受信利得が得られることがわかる。
【００５７】
さらに、図６に示す指向特性図からわかるように、８８〜１０８ＭＨｚのＦＭラジオ放送波帯域において良好な指向特性が得られることがわかる。
【００５８】
また、図示しないアンプを取り付けた状態で５００ＫＨｚ〜１７００ＫＨｚのＡＭラジオ帯の電波を受信して、その受信性能を測定したところ、全ての帯域でノイズが少なくホイップアンテナ以上のＳ／Ｎ比が得られ、ＡＭラジオ放送波帯に対しても非常に良好なアンテナであることがわかった。
【００５９】
さらに、９０〜１０８ＭＨｚのＴＶ放送波帯の電波についても、その受信性能を測定したところ、該放送波帯の全ての帯域でホイップアンテナの受信性能と同等の性能を有しており、ＴＶ放送波帯に対しても非常に良好なアンテナであることがわかった。
【００６０】
[実施例２]
図２に示す例は、図１に示す実施例１の変形例であり、第１の水平線条９を二重線としたものであり、その他は実施例１と同一である。
【００６１】
前記第１の水平線条９の二重線は、その両端部を閉じた二重線とし、近接して設けた２本の水平線条の一端側をいずれも給電点５に接続し、他端側を垂直線条１０に接続した。
【００６２】
板ガラス１の寸法、および各線条の長さは、実施例１とほぼ同様であるが、以下に異なる部分について記載する。
【００６３】
第１の水平線条９の２本の線条の間隔＝５ｍｍ
このようにして得られた板ガラスを自動車の後部窓ガラスに装着した。さらに図示しないが、図１と同様に、直流電源回路、およびコンデンサを＋側のバスバーに接続した。
【００６４】
直流電源を接続した状態で、本発明のアンテナによって、８８〜１０８ＭＨｚのＦＭラジオ放送波帯の垂直を受信して、ダイポールアンテナの受信利得を０ｄＢとしたときの利得差で表すと、平均でそれぞれ−７．６ｄＢとなり、ホイップアンテナの利得は約−８．０ｄＢ程度であるので、チューニングした８８〜１０８ＭＨｚの帯域においてホイップアンテナの受信利得を上回り、非常に良好なアンテナであることがわかる。
【００６５】
また、本実施例によって、そのときの周波数毎の受信利得を表す周波数特性および指向特性は実施例１と同様の結果が得られた。
【００６６】
また、５００ＫＨｚ〜１７００ＫＨｚのＡＭラジオ帯の電波を受信して、その受信性能を測定したところ、実施例１と同様の受信利得が得られ、ＡＭラジオ放送波帯に対しても非常に良好なアンテナであった。
【００６７】
さらに、９０〜１０８ＭＨｚのＴＶ放送波帯の電波についても、その受信性能を測定したところ、実施例１と同様の受信利得が得られ、ＴＶ放送波帯に対しても非常に良好なアンテナであることがわかった。
【００６８】
このように、本実施例においては、実施例１に比べて第１の水平線条９を二重線としたので、ＦＭラジオ放送波帯においてより高帯域のアンテナ特性が得られ、ＡＭラジオ放送波帯においてよりアンテナ利得が向上できた。
【００６９】
[実施例３]
図３に示す例は、実施例１のアンテナ８の給電点５の位置を窓枠の縦辺近傍の上部余白部の途中部に設け、縦辺に沿って導電線条を上部コーナー部近傍まで延ばしたのち、水平方向に第１の水平線条９を延ばした点、および前記垂直線条１０の下端より給電点側に折り返した折返し線条に加えて、垂直線条１０の下端より給電点側とは反対側にも水平補助線条１２を縦側辺近傍まで延ばした点で実施例１と異なり、その他は実施例１と同じである。
【００７０】
本実施例においては、実施例１に比べて水平補助線条１２を追加するように設けたので、ＡＭラジオ放送波帯においてよりアンテナ利得が向上できた。
【００７１】
また、図７の周波数特性図に示されるように、本実施例の周波数毎の受信利得を表す周波数特性は、７６ＭＨｚ〜９０ＭＨｚの広帯域において高い受信利得が得られることがわかる。
【００７２】
さらに、図８の指向特性図に示されるように、７６〜９０ＭＨｚのＦＭラジオ放送波帯域において良好な指向特性が得られることがわかる。
【００７３】
さらにまた、本実施例についても、７６ＭＨｚ〜１０８ＭＨｚの帯域、５００ＫＨｚ〜１７００ＫＨｚのＡＭラジオ帯について、実施例１、２と同様の受信利得が得られ、非常に良好なアンテナであることが確認できた。
【００７４】
[実施例４]
図４に示す例は、実施例３の第１の水平線条を二重線とした点を除いて、その他の線条部分は実施例３とほぼ同じである。
【００７５】
本実施例においては、実施例３に比べて第１の水平線条９を二重線としたので、ＦＭラジオ放送波帯においてより高帯域のアンテナ特性が得られ、ＡＭラジオ放送波帯においてよりアンテナ利得を向上させることができた。
【００７６】
本パターンについても、７６ＭＨｚ〜９０ＭＨｚのＦＭラジオ放送波帯域、５００ＫＨｚ〜１７００ＫＨｚのＡＭラジオ放送波帯について、実施例３と同様の受信利得が得られ、非常に良好なアンテナであることが確認できた。
【図面の簡単な説明】
【００７７】
【図１】本発明のガラスアンテナを自動車用後部窓ガラスに設けた実施例１を示す正面図。
【図２】本発明のガラスアンテナを自動車用後部窓ガラスに設けた実施例２を示す正面図。
【図３】本発明のガラスアンテナを自動車用後部窓ガラスに設けた実施例３を示す正面図。
【図４】本発明のガラスアンテナを自動車用後部窓ガラスに設けた実施例４を示す正面図。
【図５】本発明の実施例１における７６ＭＨｚ〜１０８ＭＨｚのＦＭラジオ帯の周波数特性図。
【図６】本発明の実施例１における８８ＭＨｚ〜１０８ＭＨｚのＦＭラジオ帯の各周波数における指向特性図。
【図７】本発明の実施例３における７６ＭＨｚ〜１０８ＭＨｚのＦＭラジオ帯の周波数特性図。
【図８】本発明の実施例３における７６ＭＨｚ〜９０ＭＨｚのＦＭラジオ帯の各周波数における指向特性図。
【図９】本発明の実施例１におけるアンテナ最下線と熱線最上線との間隔によるＡＭラジオ帯のアンテナのＳ／Ｎ比の変化を示す図。
【図１０】本発明の実施例１におけるアンテナ最上線と金属フランジとの間隔によるＦＭラジオ帯のアンテナの受信利得の変化を示す図。
【符号の説明】
【００７８】
１              板ガラス
２              デフォッガ
３              加熱用導電線条
４、４'        バスバー
５              給電点
６              金属フランジ
８              本発明のアンテナ
９              第１の水平線条
１０              第１の垂直線条
１１              第１の折返線条
１１’            第２の折返線条
１２              水平補助線条
１３              直流電源回路
１４              コンデンサ
【図１】
2005130415.tif 000003
【図２】
2005130415.tif 000004
【図３】
2005130415.tif 000005
【図４】
2005130415.tif 000006
【図５】
2005130415.tif 000007
【図６】
2005130415.tif 000008
【図７】
2005130415.tif 000009
【図８】
2005130415.tif 000010
【図９】
2005130415.tif 000011
【図１０】
2005130415.tif 000012